(57)【特許請求の範囲】
【請求項１】
ユーザーを特定する特定処理部と、
薬品を識別するための識別情報に対応付けて登録される情報を出力する出力処理部と、
を備え、
前記出力処理部が、前記情報が表示される表示画面に、前記特定処理部によって特定されるユーザーの担当患者の前記情報と他の前記情報とを表示する場合に、前記担当患者の情報を優先して表示する薬品情報提供システム。
【請求項２】
前記担当患者には、前記特定処理部によって特定されるユーザーが処方を発行した担当患者と前記特定処理部によって特定されるユーザーが現在担当している担当患者とが含まれる請求項１に記載の薬品情報提供システム。
【請求項３】
前記出力処理部が、前記ユーザーと前記担当患者との対応関係が予め設定された情報に基づいて、前記情報のうち前記ユーザーの担当患者の処方薬品に関する情報を特定する請求項１又は２に記載の薬品情報提供システム。
【請求項４】
前記出力処理部が、前記情報のうち前記特定処理部によって特定されるユーザーの担当患者の処方薬品に関する情報を出力する際に、前記ユーザーが未確認の情報を優先して出力する請求項１〜３のいずれかに記載の薬品情報提供システム。
【請求項５】
前記出力処理部が、前記情報のうち前記特定処理部によって特定されるユーザーの担当患者の処方薬品に関する情報を出力する際に、前記担当患者が現在服用している処方薬品に関する情報を優先して出力する請求項１〜３のいずれかに記載の薬品情報提供システム。
【請求項６】
前記出力処理部が、前記情報のうち前記特定処理部によって特定されるユーザーの担当患者の処方薬品に関する情報を出力する際に、前記ユーザーに対応する前記担当患者各々の処方薬品として含まれる件数が多い薬品から順に並べて出力する請求項１〜５のいずれかに記載の薬品情報提供システム。
【請求項７】
前記出力処理部が、処方データに含まれる担当医師の情報が前記ユーザーを示す場合に、当該処方データに含まれる前記処方薬品に対応する前記情報を前記ユーザーに対応する前記情報として抽出する請求項１〜６のいずれかに記載の薬品情報提供システム。
【請求項８】
前記出力処理部が、前記ユーザーに予め対応付けられた担当病棟、担当部署、担当病室、担当診療科のいずれか一つ又は複数の情報と、処方データに含まれる病棟、部署、病室、及び診療科のいずれか一つ又は複数の情報とに基づいて、前記ユーザーに対応する前記情報を抽出する請求項１〜７に記載の薬品情報提供システム。
【請求項９】
前記情報が、緊急安全性情報及び安全性速報のいずれか一方又は両方を含む請求項１〜８のいずれかに記載の薬品情報提供システム。
【請求項１０】
前記ユーザーは、医師、薬剤師、又は看護師である請求項１〜９のいずれかに記載の薬品情報提供システム。
【請求項１１】
前記出力処理部が、前記情報のうち前記特定処理部によって特定されるユーザーの担当患者の処方薬品に関する情報を上位に配置して前記情報を一覧出力する請求項１〜１０のいずれかに記載の薬品情報提供システム。
【請求項１２】
前記出力処理部が、前記情報のうち前記特定処理部によって特定されるユーザーの担当患者の処方薬品に関する情報を他の前記情報とは異なる出力態様で出力する請求項１〜１１のいずれかに記載の薬品情報提供システム。
【請求項１３】
ユーザー操作又はデータ受信に応じて前記情報を登録する登録処理部を更に備える請求項１〜１２のいずれかに記載の薬品情報提供システム。
【請求項１４】
前記ユーザーの担当患者の処方薬品に関する前記情報が新たに登録された場合に、前記ユーザーに予め対応付けられた情報処理装置に前記情報が登録された旨を通知する通知処理部を更に備える請求項１〜１３のいずれかに記載の薬品情報提供システム。
【発明の詳細な説明】
【技術分野】
【０００１】
本発明は、予め登録された薬品の情報を医師、薬剤師、及び看護師などに提供することが可能な薬品情報提供システムに関する。
【背景技術】
【０００２】
薬品データベースに予め登録された薬品の情報を医師、薬剤師、及び看護師などの医療従事者であるユーザーに提供することが可能なシステムが知られている。薬品の情報には、例えば、薬品の添付文書に記載されている組成、効果・効能、用法・用量、及び使用上の注意などの薬品の基本情報が含まれる。
【０００３】
また、薬品の添付文書に記載されていない追加情報を任意に薬品に関連付けて記録しておき、ユーザーが薬品データベースを参照する際に、前記追加情報各々を一覧で出力可能なシステムも知られている（例えば特許文献１参照）。
【先行技術文献】
【特許文献】
【０００４】
【特許文献１】特開２００６−２７６８９９号公報
【発明の概要】
【発明が解決しようとする課題】
【０００５】
しかしながら、前述の技術によれば、ユーザーが自分にとって重要でない薬品に関する追加情報も含まれる多数の追加情報が一覧で出力されることになるため、ユーザーが自分にとって重要な薬品に関する追加情報を容易に確認するができない。
【０００６】
本発明の目的は、ユーザーが自分にとって重要な薬品に関する追加情報を容易に確認することが可能な薬品情報提供システムを提供することにある。
【課題を解決するための手段】
【０００７】
本発明に係る薬品情報提供システムは、ユーザーを特定する特定処理部と、薬品を識別するための識別情報に対応付けて追加で登録される追加情報のうち前記特定処理部によって特定されるユーザーの担当患者の処方薬品に関する情報を優先して出力する出力処理部と、を備える。例えば、前記出力処理部は、前記ユーザーと前記担当患者との対応関係が予め設定された情報に基づいて、前記追加情報のうち前記ユーザーの担当患者の処方薬品に関する情報を特定することが考えられる。
【０００８】
本発明によれば、前記追加情報のうちユーザーに対応付けられた担当患者の処方薬品に関する情報が優先して出力される。即ち、前記薬品情報提供システムでは、優先的に出力される前記追加情報がユーザーごとに変化する。これにより、ユーザーは、前記追加情報の中から担当患者の処方薬品に関する情報を探して確認する手間を省き、自分にとって重要な薬品に関する情報を容易に確認することが可能となる。
【０００９】
また、前記出力処理部は、前記追加情報のうち前記特定処理部によって特定されるユーザーの担当患者の処方薬品に関する情報を出力する際に、前記ユーザーが未確認の情報を優先して出力することが考えられる。これにより、ユーザーは、自分の担当患者の処方薬品に関する情報のうち未確認の情報を容易に把握することが可能である。
【００１０】
また、前記出力処理部は、前記追加情報のうち前記特定処理部によって特定されるユーザーの担当患者の処方薬品に関する情報を出力する際に、前記担当患者が現在服用している処方薬品に関する情報を優先して出力することが考えられる。これにより、ユーザーは、自分の担当患者が現在服用している処方薬品に関する前記追加情報を容易に把握することが可能である。
【００１１】
また、前記出力処理部は、前記追加情報のうち前記特定処理部によって特定されるユーザーの担当患者の処方薬品に関する情報のみを出力することが考えられる。これにより、余分な情報の表示が省略されるため、ユーザーによる担当患者の処方薬品に関する情報の確認作業の負担が軽減される。
【００１２】
また、前記出力処理部は、前記追加情報のうち前記特定処理部によって特定されるユーザーの担当患者の処方薬品に関する情報を出力する際に、前記ユーザーに対応する前記担当患者各々の処方薬品として含まれる件数が多い薬品から順に並べて出力することが考えられる。これにより、ユーザーは、自分の担当患者の処方薬品に関する情報を確認の優先度が高い順で把握することが可能である。
【００１３】
また、前記出力処理部は、処方データに含まれる担当医師の情報が前記ユーザーを示す場合に、当該処方データに含まれる前記処方薬品に対応する前記追加情報を前記ユーザーに対応する前記追加情報として抽出することが考えられる。これにより、ユーザーは、自分の担当患者の処方薬品に関する前記追加情報を容易に把握することが可能である。
【００１４】
また、前記出力処理部は、前記ユーザーに予め対応付けられた担当病棟、担当部署、担当病室、担当診療科のいずれか一つ又は複数の情報と、処方データに含まれる病棟、部署、病室、及び診療科のいずれか一つ又は複数の情報とに基づいて、前記ユーザーに対応する前記追加情報を抽出することが考えられる。これにより、ユーザーは、自分の担当病棟、担当部署、担当病室、及び担当診療科に属する患者の処方薬品に関する前記追加情報を容易に把握することが可能である。
【００１５】
また、前記追加情報は、緊急安全性情報及び安全性速報のいずれか一方又は両方を含むことが考えられる。なお、前記緊急安全性情報及び前記安全性速報は、薬品を服用する患者に重大な影響を与えるおそれのある副作用などの情報を医療従事者に周知させるための情報である。これにより、ユーザーは、自分の担当患者の処方薬品に関する前記追加情報として登録される緊急安全性情報及び安全性速報のいずれか一方又は両方を早期に把握することが可能である。
【００１６】
なお、前記ユーザーは、例えば医師、薬剤師、又は看護師などの医療従事者であることが考えられる。
【００１７】
また、前記出力処理部は、前記追加情報のうち前記特定処理部によって特定されるユーザーの担当患者の処方薬品に関する情報を上位に配置して前記追加情報を一覧出力する請ことが考えられる。これにより、前記追加情報のうち前記特定処理部によって特定されるユーザーの担当患者の処方薬品に関する情報が優先的に参照されやすい状態で出力される。
【００１８】
また、前記出力処理部は、前記追加情報のうち前記特定処理部によって特定されるユーザーの担当患者の処方薬品に関する情報を他の前記追加情報とは異なる出力態様で出力することが考えられる。これにより、前記追加情報のうち前記特定処理部によって特定されるユーザーの担当患者の処方薬品に関する情報を容易に特定することが可能である。
【００１９】
また、前記出力処理部は、前記薬品の情報を表示させるための初期表示画面において、前記追加情報のうち前記特定処理部によって特定されるユーザーの担当患者の処方薬品に関する情報を優先して表示することが考えられる。これにより、前記薬品の情報が参照されるタイミング毎に、前記追加情報のうち前記特定処理部によって特定されるユーザーの担当患者の処方薬品に関する情報の確認をユーザーに促すことが可能となり、前記追加情報のうち前記特定処理部によって特定されるユーザーの担当患者の処方薬品に関する情報の確認漏れが抑制される。
【００２０】
なお、前記追加情報は、前記薬品情報提供システムとは異なるシステムで登録されることも考えられる。一方、前記薬品情報提供システムが、ユーザー操作又はデータ受信に応じて前記追加情報を登録する追加登録処理部を更に備えることが考えられる。これにより、前記薬品情報提供システムにおいて、前記薬品情報記憶部に前記追加情報を自由に登録することが可能である。
【００２１】
また、前記薬品情報提供システムは、前記ユーザーの担当患者の処方薬品に関する前記追加情報が新たに登録された場合に、前記ユーザーに予め対応付けられた携帯端末などの情報処理装置に前記追加情報が登録された旨を通知する通知処理部を更に備えることが考えられる。これにより、前記追加情報のうち前記特定処理部によって特定されるユーザーの担当患者の処方薬品に関する情報の確認漏れをより効果的に抑制することが可能である。
【発明の効果】
【００２２】
本発明によれば、ユーザーが自分にとって重要な薬品に関する追加情報を容易に確認することが可能な薬品情報提供システムが実現される。
【図面の簡単な説明】
【００２３】
【図１】図１は、本発明の実施形態に係る薬品情報提供システムの構成を示すブロック図である。
【図２】図２は、本発明の実施形態に係る薬品情報提供システムに登録される緊急安全性情報の一例を示す図である。
【図３】図３は、本発明の実施形態に係る薬品情報提供システムに登録される安全性速報の一例を示す図である。
【図４】図４は、本発明の実施形態に係る薬品情報提供システムで用いられるデータ構造の一例を示す図である。
【図５】図５は、本発明の実施形態に係る薬品情報提供システムで実行される薬品情報提供処理の一例を示すフローチャートである。
【図６】図６は、本発明の実施形態に係る薬品情報提供システムで表示される初期表示画面の一例を示す図である。
【図７】図７は、本発明の実施形態に係る薬品情報提供システムで表示される薬品詳細画面の一例を示す図である。
【図８】図８は、本発明の実施形態に係る薬品情報提供システムで表示される薬品検索画面の一例を示す図である。
【図９】図９は、本発明の実施形態に係る薬品情報提供システムにおける薬品情報提供処理の実行結果の一例を説明するための図である。
【図１０】図１０は、本発明の実施形態に係る薬品情報提供システムにおける薬品情報提供処理の実行結果の一例を説明するための図である。
【発明を実施するための形態】
【００２４】
以下添付図面を参照しながら、本発明の実施形態について説明し、本発明の理解に供する。なお、以下の実施形態は、本発明を具体化した一例であって、本発明の技術的範囲を限定する性格のものではない。
【００２５】
［第１実施形態］
まず、本発明に係る薬品情報提供システムの第１実施形態である薬品情報提供システム１０について説明する。
【００２６】
［薬品情報提供システム１０］
図１に示すように、薬品情報提供システム１０は、サーバー１と、一又は複数のクライアント端末２と、一又は複数の調剤機器３とを備える。前記サーバー１及び前記クライアント端末２各々は、例えばパーソナルコンピュータ、タブレット端末、又はスマートフォンなどの情報処理装置である。前記サーバー１、前記クライアント端末２、及び前記調剤機器３は、ＬＡＮ、ＷＡＮ、インターネット、又はイントラネットなどのネットワークＮを介して無線又は有線で通信可能に接続される。
【００２７】
［サーバー１］
図１に示すように、前記サーバー１は、制御部１１、記憶部１２、通信Ｉ／Ｆ１３、表示部１４、操作部１５、及びドライブ装置１６などを備えるコンピュータである。なお、前記サーバー１は、前記サーバー１が使用される病院又は薬局等の医療機関の内部又は外部に設けられる。
【００２８】
また、前記サーバー１には、患者ごとの処方内容を示す処方データを前記サーバー１に入力する電子カルテシステム、オーダーリングシステム、又はレセプトシステムなどの上位システム４が前記ネットワークＮを介して接続される。なお、前記サーバー１が前記上位システム４から前記処方データを能動的に読み出す構成であってもよい。
【００２９】
前記処方データには、例えば、処方番号、患者ＩＤ、患者名、性別、年齢、診療科、病棟、部署、病室、及び担当医師などの情報が含まれる。さらに、前記処方データには、例えば、患者に処方する処方薬品ごとに、Ｒｐ番号、レコード番号、薬品コード、薬品名、ＹＪコード、用量、用法、服用開始日時、服用期間、及び服用終了日時などの情報も含まれる。
【００３０】
前記制御部１１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１１は、前記ＣＰＵを用いて、前記ＲＯＭ、前記ＥＥＰＲＯＭ、又は前記記憶部１２に予め記憶された各種の制御プログラムに従って各種の処理を実行する。
【００３１】
前記記憶部１２は、前記制御部１１によって実行される各種の制御プログラム及び各種のデータが記憶されるハードディスク、ＳＳＤ、又はフラッシュメモリ等の不揮発性の記憶部である。具体的に、前記記憶部１２は、プログラム領域１２１、マスター領域１２２、データベース領域１２３、及び処方データ領域１２４などの記憶領域を有する。
【００３２】
前記プログラム領域１２１には、前記制御部１１に後述の薬品情報提供処理（図５参照）を実行させるための薬品情報提供プログラムが記憶される。また、前記プログラム領域１２１には、前記処方データに基づいて前記調剤機器３各々による調剤処理を制御する調剤制御処理を実行させるための調剤制御プログラムなども記憶される。なお、前記プログラム領域１２１には、オペレーティングシステム（ＯＳ）及びブラウザソフトなどのアプリケーションプログラムも記憶されている。
【００３３】
前記マスター領域１２２には、薬品マスター、患者マスター、病棟マスター、病室マスター、部署マスター、診療科マスター、及び利用者マスターなどの各種のマスター情報が記憶される。なお、前記薬品情報提供システム１０において、薬品、患者、病棟、病室、部署、診療科、及びユーザーなどに関する各種の情報は、予め登録された識別コードで管理される。例えば、前記薬品マスターでは、前記薬品情報提供システム１０において薬品を識別するための薬品識別情報の一例であるＹＪコードと薬品名とが対応付けられている。前記病棟マスターでは、病棟コードと病棟名とが対応付けられており、前記病室マスターでは、病室コードと病室名とが対応付けられている。同じく、前記部署マスターでは、部署コードと部署名とが対応付けられており、前記診療科マスターでは、診療科コードと診療科名とが対応付けられている。
【００３４】
前記データベース領域１２３は、ＹＪコードとＹＪコードに対応する薬品の基本情報とが対応付けて記憶された薬品データベースが記憶されている。なお、前記薬品情報提供システム１０において、前記薬品識別情報は、ＹＪコードに限らず、薬品ＩＤ、ＪＡＮコード、又はＲＳＳコードなどの他の情報であってもよい。前記薬品の基本情報には、例えば薬品の添付文書に記載されている薬品名、組成、効果・効能、用法・用量、及び使用上の注意などが含まれる。
【００３５】
さらに、前記薬品情報提供システム１０において、前記薬品データベースには、前記基本情報とは別に、ユーザーに知らせることが必要になった追加情報がＹＪコードに対応付けて追加で登録されることがある。例えば、前記追加情報は、医療機関における薬品についての情報を管理する管理権限を有する薬剤師などによって任意に登録される。具体的に、前記追加情報の登録は、前記サーバー１又は前記クライアント端末２における前記管理権限を有するユーザーのログイン後のユーザー操作に応じて前記制御部１１等によって実行される。
【００３６】
前記追加情報には、ＹＪコード、明細番号、タイトル、案内情報、及び登録日時などが含まれる。前記明細番号は前記追加情報を識別するための情報、前記タイトルは前記追加情報のタイトル名、前記案内情報は前記追加情報の具体的な内容、前記登録日時は前記追加情報が登録された日時である。なお、前記案内情報には、前記追加情報についてのテキストコメント、画像、又はドキュメントファイルへのリンクなどが含まれる。例えば、前記追加情報は、医療機関においてユーザーにより任意に登録される適用症の変更などのテキストコメントであることが考えられる。
【００３７】
また、前記追加情報は、図２及び図３に示すように、薬品メーカー又は所定機関から発行される緊急安全性情報及び安全性速報などに関する情報であることが考えられる。一般に、前記緊急案先生情報及び前記安全性速報は、患者の身体及び生命に重大な影響が及ぶおそれのある情報であって、それぞれの情報の印刷時又は表示時の背景色（イエロー、ブルー）に応じて、イエローレター（イエローシート）及びブルーレター（ブルーシート）と称されることがある。
【００３８】
ここで、図２及び図３に示すような前記緊急安全性情報及び前記安全性速報などのドキュメントファイルが存在する場合は、前記ドキュメントファイルも、前記サーバー１又は前記クライアント端末２に対するユーザー操作に応じて前記制御部１１により前記データベース領域１２３に記録される。また、前記制御部１１が、前記ネットワークＮを介して前記上位システム４、前記薬品メーカー、又は前記所定機関などから受信した前記ドキュメントファイルに応じて自動的に前記追加情報を登録することも考えられる。
【００３９】
前記処方データ領域１２４には、前記上位システム４から取得される前記処方データ、及び患者ごとの処方履歴に関する処方歴情報などの各種データが記憶される。前記処方歴情報には、前記処方データと同様に、処方番号、患者ＩＤ、患者名、性別、年齢、診療科、病棟、部署、病室、及び担当医師などの処方情報が含まれる。さらに、前記処方歴情報には、例えば、前記処方データに含まれる処方薬品ごとに対応する明細情報として、Ｒｐ番号、レコード番号、薬品コード、薬品名、ＹＪコード、用量、用法、服用開始日時、服用期間、及び服用終了日時などの情報も含まれる。
【００４０】
ここに、図４は、前記患者マスター、前記利用者マスター、前記薬品マスター、前記処方歴情報、及び前記薬品データベースのデータ構造の要部を示す図である。
【００４１】
図４に示すように、前記患者マスターでは、患者を識別するための患者識別情報の一例である患者ＩＤごとに、患者名、病棟、病室、部署、及び診療科などの患者情報が対応付けて記憶されている。また、前記利用者マスターでは、前記薬品情報提供システム１０のユーザーである医師、薬剤師、及び看護師などの医療従事者に関する情報が記憶されている。具体的に、前記利用者マスターでは、ユーザーごとに、利用者ＩＤ、氏名、職種、担当部署、担当病棟、及び担当診療科などの情報が対応付けて記憶されている。なお、前記担当病棟に代えて、又は前記担当病棟と共に、担当病室の情報が前記ユーザーに対応付けて記憶されていてもよい。前記職種は、例えば医師、薬剤師、及び看護師などである。前記担当部署は、医療機関においてユーザーが所属する部署である。前記担当病棟は、ユーザーが担当する患者が入院している病棟である。前記担当病室は、ユーザーが担当する患者が入院している病室である。前記担当診療科は、ユーザーが担当する診療科である。なお、前述したように、前記薬品マスターでは、薬品を識別するためのＹＪコードと薬品名とが対応付けられている。即ち、前記処方歴情報が、ユーザーと患者との対応関係が予め設定された対応情報の一例である。
【００４２】
前記処方歴情報は、前記上位システム４から前記処方データを取得したタイミング、又は前記処方データに基づく調剤（調剤鑑査）が完了したタイミングで、前記制御部１１によって前記処方データ領域１２４に記録される。具体的に、前記処方歴情報では、前記処方データを識別するための処方番号ごとに、患者ＩＤ、患者名、診療科、病棟、部署、病室、及び担当医師（利用者ＩＤ）などの処方情報が対応付けて記憶されている。さらに、前記処方歴情報では、前記処方番号ごとに対応する明細情報として、Ｒｐ番号、レコード番号、薬品コード、薬品名、ＹＪコード、服用開始時期、及び服用終了時期などの情報も記憶されている。なお、前記明細情報は、前記処方歴情報に対応する前記処方データに含まれていた処方薬品ごとに対応する情報である。
【００４３】
そして、前記薬品情報提供システム１０では、前記制御部１１が、図４に示すように、前記患者マスターに含まれる患者ＩＤに基づいて、その患者に対応する前記処方歴情報を読み出すことが可能である（矢印Ａ１参照）。また、前記制御部１１は、前記処方歴情報の処方番号に基づいて前記処方歴情報の明細情報を読み出すことが可能である（矢印Ａ２参照）。さらに、前記制御部１１は、前記処方歴情報の明細情報に含まれるＹＪコードに対応する薬品名を前記薬品マスターから読み出すこと（矢印Ａ３参照）、及びＹＪコードに対応する前記追加情報を前記薬品データベースから読み出すことも可能である（矢印Ａ４参照）。
【００４４】
また、前記薬品情報提供システム１０では、前記制御部１１が、前記追加情報に含まれているＹＪコードに基づいて、そのＹＪコードに対応する薬品名を前記薬品マスターから読み出すことが可能である。さらに、前記制御部１１は、前記追加情報に含まれているＹＪコードに基づいて、そのＹＪコードに対応する薬品が処方薬品として含まれる前記処方歴情報の明細情報を読み出すと共に、その処方番号に対応する前記処方歴情報を読み出すことが可能である。そして、前記制御部１１は、前記処方歴情報の患者ＩＤに基づいて前記追加情報に対応する薬品が処方薬品として処方されている患者の情報を前記患者マスターから読み出すことが可能である。
【００４５】
さらに、前記薬品情報提供システム１０では、前記制御部１１が、前記処方歴情報に含まれている前記担当医師に基づいて、前記利用者マスターに記憶されているユーザーの情報を読み出すことが可能である（矢印Ａ５参照）。特に、前記制御部１１は、前記処方歴情報と前記利用者マスターとに基づいて、前記処方歴情報各々から担当医師を特定することだけではなく、前記担当医師各々の担当患者を特定することができる。なお、前記担当医師の担当患者とは、前記担当医師が処方を発行した患者であることが考えられる。また、前記担当医師の担当患者は、前記担当医師が処方を発行した患者に限らず、例えば患者に対する処方の発行後に担当医師が変更されることも考えられる。この場合、前記制御部１１は、前記処方歴情報として、その患者に処方を発行した前記担当医師に加えて、現在その患者を担当している主治医などの医師もその患者の担当医師として登録することが考えられる。
【００４６】
ところで、本実施形態では、前記サーバー１は、前記薬品データベースの情報を提供する薬品情報提供機能を有すると共に、前記調剤制御プログラムに従って前記調剤制御処理を実行する調剤制御機能を有する。一方、他の実施形態として、前記薬品情報提供システム１０が、前記薬品情報提供機能を有する前記サーバー１とは別に、前記調剤制御機能を有する調剤制御端末を備える構成も考えられる。この場合、前記マスター領域１２２及び前記処方データ領域１２４が、前記調剤制御端末が備えるハードディスクなどの記憶部に設けられ、前記サーバー１の前記制御部１１が、前記調剤制御端末の前記記憶部から各種のマスターデータ、処方データ、及び処方歴情報などを読み出すことが考えられる。なお、この場合には、前記調剤制御端末も前記クライアント端末２の一例として前記サーバー１にアクセスすることが可能である。また、他の実施形態として、前記サーバー１及び前記調剤制御端末の両方が前記処方データ領域１２４を有しており、前記上位システム４から前記処方データを個別に取得することも考えられる。
【００４７】
前記通信Ｉ／Ｆ１３は、前記ネットワークＮを介して前記クライアント端末２、前記調剤機器３、及び前記上位システム４などの外部機器との間で、予め定められた通信プロトコルに従って無線又は有線でデータ通信を実行するネットワークカード等を有する通信インターフェースである。
【００４８】
前記表示部１４は、前記制御部１１からの制御指示に従って各種の情報を表示する液晶ディスプレイ又は有機ＥＬディスプレイなどの表示部である。前記操作部１５は、前記サーバー１に各種の情報を入力するためにユーザーによって操作される操作部である。具体的に、前記操作部１５は、前記表示部１４に表示される各種の操作画面における入力操作を受け付けるキーボード及びマウス（ポインティングデバイス）を含む。また、前記操作部１５は、前記表示部１４に表示される各種の操作画面に対するタッチ操作を受け付けるタッチパネル、又は音声認識により各種情報の入力を受け付ける音声入力装置を含むものであってもよい。
【００４９】
前記ドライブ装置１６は、前記薬品情報提供プログラム、前記調剤制御プログラム、及び前記薬品データベースなどが記録されたコンピュータ読み取り可能な記録媒体１６１から前記薬品情報提供プログラム、前記調剤制御プログラム、及び前記薬品データベースなどの情報を読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記サーバー１では、前記制御部１１により、前記ドライブ装置１６を用いて前記記録媒体１６１から読み取られた前記薬品情報提供プログラム及び前記調剤制御プログラムが前記プログラム領域１２１に記憶され、前記薬品データベースが前記データベース領域１２３に記憶される。
【００５０】
このように構成された前記サーバー１では、前記制御部１１が、特定処理部１１１、出力処理部１１２、登録処理部１１３、及び通知処理部１１４を含む。具体的に、前記制御部１１は、前記薬品情報提供プログラムに従って各種の処理を実行することにより、前記特定処理部１１１、前記出力処理部１１２、前記登録処理部１１３、及び前記通知処理部１１４として機能する。
【００５１】
前記特定処理部１１１は、前記サーバー１又は前記クライアント端末２を用いて行われるログイン操作などに応じて現在のユーザーを特定するためのログイン処理を実行する。これにより、前記制御部１１は、前記薬品情報提供システム１０の利用を開始するユーザーを特定することが可能であり、前記ユーザーに対応した処理を実行することが可能である。例えば、前記記憶部１２に、ユーザーの氏名又はＩＤなどの識別情報と、ユーザーごとに予め設定されたパスワードとが対応付けられた認証情報が記憶されており、前記ログイン操作が、前記識別情報及びパスワードを入力する操作であることが考えられる。この場合、前記特定処理部１１１は、入力される前記識別情報及び前記パスワードと予め記憶された前記認証情報とに基づく認証処理を実行して前記ユーザーを特定する。また、前記ログイン操作は、前記サーバー１又は前記クライアント端末２などに接続されるカードリーダー（不図示）によって、ユーザーが有する磁気カード又はＩＣカード等から読み取られる情報に基づいてユーザーを特定する処理であってもよい。さらに、前記特定処理部１１１は、ユーザーから読み取られる指紋又は声紋等の身体的特徴に基づいてユーザーを特定することも考えられる。
【００５２】
前記出力処理部１１２は、前記記憶部１２に記憶されている前記薬品データベースに含まれる薬品に対応する前記基本情報及び前記追加情報などを前記クライアント端末２に表示させるための出力処理を実行する。特に、前記薬品情報提供システム１０において、前記出力処理部１１２は、前記記憶部１２に記憶されている前記追加情報のうち前記特定処理部１１１によって特定されるユーザーの担当患者の処方薬品に関する担当追加情報を優先して出力する。即ち、前記薬品情報提供システム１０では、優先的に出力される前記追加情報がユーザーごとに変化する。これにより、ユーザーは、自分にとって重要な薬品の前記追加情報を容易に確認することが可能となり、自分の担当患者の処方薬品に対応する前記担当追加情報の確認漏れが抑制される。
【００５３】
具体的に、前記出力処理部１１２は、前記担当追加情報を上位に配置して前記追加情報を一覧出力することが考えられる。これにより、前記担当追加情報が優先的に参照されやすい状態で出力される。また、前記出力処理部１１２は、前記担当追加情報を他の前記追加情報とは異なる予め定められた出力態様（配色又はサイズなど）で出力することも考えられる。これにより、ユーザーは、前記追加情報の中で前記担当追加情報を容易に特定することが可能である。なお、本実施形態では、前記出力処理部１１２が、前記追加情報を表示出力する場合について説明するが、前記追加情報を印刷又は送信することも前記追加情報の出力方法の一例である。また、本実施形態では、前記担当追加情報の下位にその他の前記追加情報が出力される場合について説明するが、前記担当追加情報のみが出力されることも前記担当追加情報の優先的な出力方法の一例である。
【００５４】
前記登録処理部１１３は、前記薬品情報提供システム１０において、ユーザー操作又はデータ受信に応じて前記記憶部１２に前記追加情報を登録するための処理を実行する。前記ユーザー操作は、例えば前記サーバー１又は前記クライアント端末２に対するユーザーの情報入力操作である。また、前記データ受信は、例えば前記ネットワークＮを介して前記上位システム４、前記薬品メーカー、又は前記所定機関などから前記緊急安全性情報及び前記安全性速報などを受信することである。これにより、前記薬品情報提供システム１０において、前記記憶部１２に前記追加情報を自由に登録することが可能である。なお、前記薬品情報提供システム１０において、前記追加情報を登録するための端末が、前記サーバー１及び前記クライアント端末２とは別に設けられることも考えられる。
【００５５】
前記通知処理部１１４は、前記追加情報が新たに登録された場合に、前記追加情報が前記担当追加情報となるユーザーに予め対応付けられた情報処理装置に前記追加情報が登録された旨を、例えばメール送信などの方法によって通知するための処理を実行する。即ち、前記通知処理部１１４は、前記ユーザーの担当患者の処方薬品に関する前記追加情報が新たに登録された場合に、前記ユーザーに対応付けられた前記情報処理装置に前記追加情報が登録された旨を通知する。なお、前記ユーザーごとに対応する前記情報処理装置は、例えばスマートフォン、携帯電話、タブレット端末、又はパーソナルコンピュータなどであり、前記情報処理装置の宛先（メールアドレス、ＩＰアドレス、又は電話番号）などの情報は、予め前記記憶部１２に記憶されている。これにより、前記担当追加情報の確認漏れをより効果的に抑制することが可能である。
【００５６】
［クライアント端末２］
前記クライアント端末２は、制御部２１、記憶部２２、通信Ｉ／Ｆ２３、表示部２４、操作部２５、及びドライブ装置２６などを備えるコンピュータである。前記クライアント端末２は、病院の診察室、調剤が行われる調剤室、又は患者が入院する病棟などに設けられ、医師、薬剤師、又は看護師などの医療従事者によって用いられる操作端末である。
【００５７】
前記制御部２１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００５８】
前記記憶部２２は、前記制御部２１によって実行される各種の制御プログラム及び各種のデータが記憶されるハードディスク、ＳＳＤ、又はフラッシュメモリ等の不揮発性の記憶部である。具体的に、前記記憶部２２は、オペレーティングシステム（ＯＳ）及びブラウザソフトなどのアプリケーションプログラムが記憶されるプログラム領域２２１を有する。前記ブラウザソフトは、前記ネットワークＮを介して前記サーバー１にアクセスすることにより前記表示部２４に各種の操作画面などを表示させると共に、前記操作画面における前記操作部２５を用いた入力操作を前記サーバー１に伝達するためのアプリケーションソフトウェアである。具体的に、前記制御部２１は、前記ブラウザソフトにより表示される操作画面の所定位置に、前記サーバー１に対応するＵＲＬ（Universal  Resource  Locator）などのアドレス情報が入力された場合に、該アドレス情報に基づいて前記サーバー１にアクセスする。
【００５９】
前記通信Ｉ／Ｆ２３は、前記ネットワークＮを介して前記サーバー１などの外部機器との間で、予め定められた通信プロトコルに従って無線又は有線でデータ通信を実行するネットワークカード等を有する通信インターフェースである。
【００６０】
前記表示部２４は、前記制御部２１からの制御指示に従って各種の情報を表示する液晶ディスプレイ又は有機ＥＬディスプレイなどの表示部である。前記操作部２５は、前記クライアント端末２に各種の情報を入力するためにユーザーによって操作される操作部である。具体的に、前記操作部２５は、前記表示部２４に表示される各種の操作画面における入力操作を受け付けるキーボード及びマウス（ポインティングデバイス）を含む。また、前記操作部２５は、前記表示部２４に表示される各種の操作画面に対するタッチ操作を受け付けるタッチパネル、又は音声認識により各種情報の入力を受け付ける音声入力装置を含むものであってもよい。
【００６１】
前記ドライブ装置２６は、前記ＯＳ又は前記ブラウザソフトなどが記録されたコンピュータ読み取り可能な記録媒体２６１から前記ＯＳ又は前記ブラウザソフトなどの情報を読み取ることが可能である。前記記録媒体２６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。前記クライアント端末２では、前記制御部２１により、前記ドライブ装置２６を用いて前記記録媒体２６１から読み取られた前記ＯＳ又は前記ブラウザソフトなどが前記プログラム領域２２１に記憶される。
【００６２】
そして、前記薬品情報提供システム１０では、前記サーバー１及び前記クライアント端末２によりサーバクライアントシステムが構成され、前記サーバー１が前記クライアント端末２のユーザー操作に応じて各種情報の表示、記録、及び印刷などの処理などを実行する。即ち、以下に説明する「表示」、「操作」、「選択」、及び「入力」などは、前記クライアント端末２の前記表示部２４及び前記操作部２５を用いて行われる。
【００６３】
なお、前記サーバー１が、前記表示部１４及び前記操作部１５を用いて各種情報の表示処理、記録、及び印刷などの処理を実行することも可能であり、前記サーバー１単体を本発明に係る薬品情報提供システムとして捉えてもよい。また、前記クライアント端末２が本発明に係る薬品情報提供システムとして機能することも考えられる。具体的に、前記薬品情報提供プログラムの一部又は全部がインストールされており、前記クライアント端末２の前記制御部２１が、前記サーバー１から必要な情報を適宜取得して各種情報の表示、記録、及び印刷などの処理を実行することが考えられる。
【００６４】
［調剤機器３］
前記調剤機器３各々は、前記薬品情報提供システム１０が使用される病院又は薬局等の医療機関において、薬品の調剤作業で使用される。例えば、前記調剤機器３各々は、錠剤分包機、散薬分包機、水剤分注機、ＰＴＰシート払出装置、又は混注装置などである。例えば、前記錠剤分包機は、複数種類の錠剤が収容された複数の薬品カセットを有し、前記サーバー１から入力される調剤用データに従って、前記薬品カセットから錠剤を払い出して１服用分ごとに分包紙で包装する分包動作を実行する。前記散薬分包機は、前記サーバー１から入力される調剤用データに従って、投入された散薬を１服用分ごとに分包紙で包装する分包動作を実行する。前記水剤分注機は、複数種類の水剤が収容された複数の薬瓶を有しており、前記サーバー１から入力される調剤用データに従って、前記薬瓶から必要量の水剤を払い出す。前記ＰＴＰシート払出装置は、予め錠剤が包装されたＰＴＰシート又はヒートシールが収容された複数のシートカセットを有し、前記サーバー１から入力される調剤用データに従って、前記シートカセットから前記ＰＴＰシート又は前記ヒートシールを払い出す。前記混注装置は、前記サーバー１から入力される調剤用データに従って、抗癌剤などの薬品を輸液に注入する混注作業をロボットアームで自動的に実行する。
【００６５】
ところで、仮に前記薬品情報提供システム１０において、ユーザーが自分にとって重要でない薬品に関する追加情報も含まれる多数の追加情報が一覧で出力されることになると、ユーザーが自分にとって重要な薬品に関する追加情報を容易に確認するができない。これに対し、前記薬品情報提供システム１０では、ユーザーが自分にとって重要な薬品に関する前記追加情報を容易に確認することが可能な態様で前記追加情報が出力される。
【００６６】
［薬品情報提供処理］
以下、図５を参照しつつ、前記サーバー１の前記制御部１１によって実行される前記薬品情報提供処理について説明する。なお、前記薬品情報提供処理は、例えば、前記クライアント端末２の操作部２５などのユーザー操作に応じて、前記薬品データベースの参照の開始要求が前記サーバー１に入力された場合に、前記制御部１１によって実行される。また、前記制御部１１は、前記クライアント端末２各々からの前記開始要求に応じて複数の前記薬品情報提供処理を並列して実行可能である。
【００６７】
＜ステップＳ１１＞
まず、ステップＳ１１において、前記制御部１１は、前記薬品情報提供システム１０の利用を開始するユーザーを特定するための前記ログイン処理を実行する。なお、前記ログイン処理において、ユーザーの認証に失敗した場合には、前記ログイン処理が再実行され、又は前記薬品情報提供処理が終了する。以下、前記ステップＳ１１の前記ログイン処理により特定されたユーザーをログインユーザーと称する。
【００６８】
＜ステップＳ１２＞
ステップＳ１２において、前記制御部１１は、前記記憶部１２のマスター領域１２２に記憶されている前記利用者マスターから、前記ログインユーザーに対応する情報を抽出する。なお、前記ステップＳ１１〜Ｓ１２の処理は、前記制御部１１の特定処理部１１１によって実行される。
【００６９】
＜ステップＳ１３＞
ステップＳ１３において、前記制御部１１は、前記ステップＳ１２で抽出された前記ログインユーザーの情報に基づいて、前記ログインユーザーの職種が医師であるか否かを判断する。ここで、前記ログインユーザーの職種が医師であると判断されると（Ｓ１３：Ｙｅｓ側）、処理がステップＳ１４に移行する。一方、前記ログインユーザーの職種が薬剤師又は看護師などである場合には、前記ログインユーザーの職種が医師でないと判断され（Ｓ１３：Ｎｏ側）、処理がステップＳ１３１に移行する。なお、前記ステップＳ１３以後の処理は、前記制御部１１の出力処理部１１２によって実行される。
【００７０】
＜ステップＳ１４＞
ステップＳ１４において、前記制御部１１は、前記記憶部１２のデータベース領域１２３に記憶されている前記追加情報から、前記ログインユーザーの担当患者の処方薬品に対応する一又は複数の担当追加情報を抽出する。これにより、後述のステップＳ１５では、前記制御部１１によって、前記追加情報のうち前記ログインユーザーの担当患者の処方薬品に対応する情報のみが出力されることになる。
【００７１】
このとき、前記制御部１１は、前記ログインユーザーと前記担当患者との対応関係が予め設定された前記処方歴情報などに基づいて、前記追加情報のうち前記ログインユーザーの担当患者の処方薬品に関する情報を特定する。具体的に、前記制御部１１は、図４を用いて説明したように、前記処方歴情報の担当医師（利用者ＩＤ）に基づいて、前記利用者マスターに記憶されているユーザーの情報を読み出すことが可能である（矢印Ａ５）。また、前記制御部１１は、前記処方データ領域１２４に記憶されている前記処方歴情報のうち担当医師の情報（利用者ＩＤなど）が前記ログインユーザーの利用者ＩＤと一致する前記処方歴情報を抽出することが可能である。さらに、前記制御部１１は、抽出された前記処方歴情報各々に含まれる処方番号に基づいて、前記処方歴情報の明細情報を読み出し（矢印Ａ２）、前記明細情報に含まれるＹＪコードに基づいて前記薬品マスター及び前記追加情報を読み出すことが可能である（矢印Ａ３、Ａ４）。そして、前記制御部１１は、前記記憶部１２のデータベース領域１２３に記憶されている前記追加情報から、前記ログインユーザーの担当患者の処方薬品に対応する前記追加情報を前記担当追加情報として抽出する。さらに、前記制御部１１は、前記担当追加情報について優先度を特定する。具体的に、前記制御部１１は、前記ログインユーザーの担当患者の処方薬品として含まれている件数が多い薬品ほど前記優先度が高いと判断する。即ち、前記ログインユーザーに関わりの深い薬品ほど前記優先度が高いと判断される。
【００７２】
また、前記追加情報のうち前記ログインユーザーの担当患者の処方薬品に予め対応付けられている類似薬品に対応する前記追加情報についても前記担当追加情報として抽出することが考えられる。前記類似薬品は、前記薬品マスター又は前記薬品データベースにおいて予め設定されている。例えば、前記類似薬品は、基準となる薬品の先発薬品、後発薬品、又は薬効が同じ薬品などである。これにより、後述の初期表示画面Ｄ１では、前記類似薬品に対応する前記追加情報についても他の前記追加情報に対して優先して表示される。
【００７３】
＜ステップＳ１３１＞
一方、ステップＳ１３１において、前記制御部１１は、前記記憶部１２のデータベース領域１２３に記憶されている前記追加情報から、前記ログインユーザーの担当病棟、担当部署、担当病室、又は担当診療科などに属する患者の処方薬品に対応する一又は複数の担当追加情報を抽出する。即ち、前記ログインユーザーが薬剤師又は看護師等である場合は、担当病棟、担当部署、担当病室、又は担当診療科などに属する患者が前記ログインユーザーの担当患者として扱われる。
【００７４】
例えば、前記制御部１１は、前記データベース領域１２３に記憶されている前記処方歴情報に含まれる前記ログインユーザーの担当病棟、担当部署、担当病室、及び担当診療科のいずれか一つ又は複数の情報と、前記処方歴情報に含まれる病棟、部署、病室、及び担当診療科のいずれか一つ又は複数の情報とに基づいて、前記ログインユーザーに対応する前記担当追加情報を抽出する。具体的に、前記制御部１１は、前記処方歴情報に含まれる病棟、部署、病室、又は診療科として、前記ログインユーザーの担当病棟、担当部署、担当病室、又は担当診療科が登録されている処方歴情報を抽出し、その処方歴情報から前記ログインユーザーの担当患者の処方薬品を抽出する。そして、前記制御部１１は、前記記憶部１２のデータベース領域１２３に記憶されている前記追加情報から、前記ログインユーザーの担当患者の処方薬品に対応する前記追加情報を前記担当追加情報として抽出する。さらに、前記制御部１１は、前記ステップＳ１４と同様に、前記担当追加情報各々について優先度を特定する。具体的に、前記制御部１１は、前記ログインユーザーの担当病棟、担当部署、担当病室、又は担当診療科などに属する患者の処方薬品として含まれている件数が多い薬品ほど前記優先度が高いと判断する。
【００７５】
ところで、前記制御部１１は、前記ステップＳ１４又は前記ステップＳ１３１において、前記担当追加情報のうち、前記ログインユーザーによって未確認（未表示）の情報のみを前記担当追加情報として抽出する。例えば、前記制御部１１は、前記ＥＥＰＲＯＭなどの記憶部において、前記追加情報各々に対応する確認フラグの値をユーザーごとに管理する。具体的に、前記制御部１１は、ユーザーによって前記追加情報が確認されるまでの間は、前記確認フラグの値を「０」に設定し、ユーザーによって前記追加情報が確認された場合に、前記確認フラグの値を「１」に設定する。なお、前記制御部１１は、例えば前記追加情報の詳細表示、又は前記追加情報の確認操作に応じて、前記追加情報が確認されたと判断する。これにより、前記制御部１１は、前記確認フラグの値に応じて、前記ログインユーザーが未確認の前記担当追加情報のみを抽出することが可能である。従って、前記ログインユーザーが確認済みの前記追加情報が前記担当追加情報として抽出されないため、後述の初期表示画面Ｄ１（図６参照）において、前記ログインユーザーは、自分の担当患者の処方薬品に関する前記担当追加情報のうち未確認の情報を容易に把握することが可能である。
【００７６】
＜ステップＳ１５＞
ステップＳ１５において、前記制御部１１は、前記薬品データベースを表示させるための初期表示画面Ｄ１を前記クライアント端末２に表示させる。ここに、図６は、前記初期表示画面Ｄ１の一例を示す図である。前記初期表示画面Ｄ１には、複数の表示画面に対応する新着情報タブＴ１１及び薬品検索タブＴ１２などの複数のタブが表示されている。前記初期表示画面Ｄ１は、前記新着情報タブＴ１１が選択された場合に対応する表示画面である。また、前記追加情報領域Ｄ１１では、前記追加情報の薬品名が表示される薬品名表示部Ｄ１１１、前記追加情報の見出しが表示される見出し表示部Ｄ１１２、及び前記追加情報に添付されたドキュメントファイルのリンク表示部Ｄ１１３が表示されている。
【００７７】
具体的に、前記制御部１１は、前記初期表示画面Ｄ１に、前記薬品データベースに登録されている前記追加情報の薬品名及び見出しなどが一覧表示される追加情報領域Ｄ１１を表示させる。これにより、前記薬品データベースの参照が開始されるタイミング毎に、前記担当追加情報の確認をユーザーに促すことが可能となり、前記担当追加情報の確認漏れが抑制される。
【００７８】
特に、前記制御部１１は、前記初期表示画面Ｄ１において、前記追加情報のうち前記ステップＳ１４又は前記ステップＳ１３１で抽出された前記担当追加情報を他の追加情報（以下、「非担当追加情報」という）よりも優先して表示する。より具体的に、前記制御部１１は、前記ステップＳ１４又は前記ステップＳ１３１で抽出された前記担当追加情報が前記非担当追加情報よりも上位に配置されるように前記追加情報の一覧を表示させる。これにより、前記担当追加情報が優先的に参照されやすい状態で出力される。なお、前記追加情報の数が前記追加情報領域Ｄ１１に表示可能な前記追加情報の数を超える場合には、前記追加情報表示領域Ｄ１１におけるスクロール操作又はページ切り替え操作など応じて、前記追加情報がスクロール表示され、又は前記追加情報の表示ページが切り替えて表示される。
【００７９】
さらに、前記制御部１１は、前記担当追加情報各々について、前記ステップＳ１４又は前記ステップＳ１３１で特定された前記優先度が高い前記担当追加情報を上位に表示させる。即ち、前記制御部１１は、前記ユーザーに対応する前記担当患者各々の処方薬品として含まれる件数が多い薬品順で前記担当追加情報を並べて表示させる。これにより、前記ログインユーザーは、自分の担当患者の処方薬品に関する前記担当追加情報を確認の優先度が高い順で把握することが可能である。また、前記制御部１１は、前記担当追加情報のうち前記優先度が同じ情報については、前記担当追加情報の登録日時が早い方が下位に表示されるように前記担当追加情報を並べて表示させる。なお、前記制御部１１は、前記追加情報のうち前記担当追加情報を除く前記非担当追加情報についても同様に、前記非担当追加情報の登録日時が早い方が下位に表示されるように前記非担当追加情報を並べて表示させる。
【００８０】
このように構成された前記薬品情報提供システム１０では、前記追加情報のうち前記ログインユーザーの担当患者の処方薬品に関する前記担当追加情報が優先して出力される。即ち、前記薬品情報提供システム１０では、優先的に出力される前記追加情報がユーザーごとに変化する。これにより、ユーザーは、前記追加情報の中から前記担当追加情報を探して確認する手間を省き、自分にとって重要な薬品に関する前記担当追加情報を容易に確認することが可能となる。従って、例えばユーザーによる前記担当追加情報の確認効率を高めることができ、ユーザーによる前記担当追加情報の確認漏れを抑制することができる。なお、前述したように前記追加情報のうち前記担当追加情報のみが出力されることも考えられるが、前記制御部１１が、前記追加情報のうち前記担当追加情報を上位に優先して出力し、前記担当追加情報を除く他の前記追加情報を前記担当追加情報の下位に出力することが考えられる。
【００８１】
ところで、前記薬品名表示部Ｄ１１１には、前記薬品名に対応する薬品の詳細が表示される薬品詳細画面Ｄ２へのリンク付けが行われている。また、前記見出し表示部Ｄ１１２には、前記薬品詳細画面Ｄ２において前記追加情報の見出しが表示される詳細表示領域Ｄ２１へのリンク付けが行われている。さらに、前記リンク表示部Ｄ１１３には、前記追加情報に対応する前記ドキュメントファイルへのリンク付けが行われている。
【００８２】
そして、前記制御部１１は、前記薬品名表示部Ｄ１１１の選択操作に応じて前記薬品名に対応する薬品の詳細が表示される薬品詳細画面Ｄ２を表示させる。また、前記制御部１１は、前記見出し表示部Ｄ１１２の選択操作に応じて前記薬品詳細画面Ｄ２における前記追加情報の詳細表示領域Ｄ２１を表示させる。さらに、前記制御部１１は、前記リンク表示部Ｄ１１３の選択操作に応じて、前記ドキュメントファイルを表示させる。
【００８３】
ここに、図７は、前記薬品詳細画面Ｄ２の一例を示す図である。図７に示すように、前記薬品詳細画面Ｄ２には、前記薬品名表示部Ｄ１１１の薬品名に対応する薬品の基本情報と共に、前記追加情報の詳細表示領域Ｄ２１が表示される。前記詳細表示領域Ｄ２１には、前記追加情報に関連するドキュメントデータのタイトルが表示されるタイトル領域Ｄ２１１及び前記追加情報の内容コメントが表示される薬品コメント情報領域Ｄ２１２が表示される。また、前記タイトル領域Ｄ２１１では、前記タイトルごとに前記タイトルに関連する前記ドキュメントファイルへのリンク付けが行われており、前記制御部１１は、前記タイトル領域Ｄ２１１における前記タイトルの選択操作に応じて前記ドキュメントファイルを表示させる。例えば、前記タイトルの選択操作に応じて、前記追加情報にリンク付けされた前記緊急安全性情報又は前記安全性速報などのドキュメントファイルが開かれる。これにより、前記薬品情報提供システム１０では、前記ログインユーザーが、自分の担当患者の処方薬品に関する前記担当追加情報として登録される前記緊急安全性情報及び前記安全性速報などを容易に把握することが可能である。
【００８４】
＜ステップＳ１６＞
また、ステップＳ１６において、前記制御部１１は、前記初期表示画面Ｄ１（図６参照）で前記追加情報の選択操作が行われたか否かを判断する。なお、前記制御部１１は、前記初期表示画面Ｄ１における前記追加情報領域Ｄ１１の見出し表示部Ｄ１１２が選択された場合に、前記見出し表示部Ｄ１１２に記載された見出しに対応する前記追加情報の選択操作が行われたと判断する。前記追加情報の選択操作が行われた場合には（Ｓ１６：Ｙｅｓ側）、処理がステップＳ１７に移行し、前記追加情報の選択操作が行われていない場合には（Ｓ１６：Ｎｏ側）、処理がステップＳ１６１に移行する。
【００８５】
＜ステップＳ１７＞
ステップＳ１７において、前記制御部１１は、前記薬品詳細画面Ｄ２を表示させると共に、前記薬品詳細画面Ｄ１において、前記追加情報の詳細が表示される前記追加情報領域Ｄ２１を表示させる。前記追加情報領域Ｄ２１では、前記追加情報に含まれる案内情報としてテキストコメント及び画像などが表示される。
【００８６】
＜ステップＳ１８＞
そして、ステップＳ１８において、前記制御部１１は、前記ステップＳ１７で表示された前記追加情報を確認済に設定する。具体的に、前記制御部１１は、前記確認フラグを、未確認を示す値である「０」から確認済を示す値である「１」に変更する。これにより、前記ステップＳ１４又は前記ステップＳ１３１において、前記追加情報が前記担当追加情報として抽出されなくなる。
【００８７】
なお、他の実施形態として、前記制御部１１が、前記担当追加情報の確認の要否に関係なく、前記担当追加情報各々を前記追加情報領域Ｄ１１に優先して表示させることも考えられる。この場合、前記制御部１１は、確認済の前記担当追加情報と未確認の前記担当追加情報とを識別可能な出力態様で表示させることが考えられる。これにより、前記ログインユーザーは、前記初期表示画面Ｄ１において、自分の担当患者の処方薬品に関する前記担当追加情報のうち未確認の情報を容易に把握することが可能である。例えば、未確認の前記担当追加情報については、確認済の前記担当追加情報に比べて太い文字又はサイズが大きい文字で表示されることが考えられる。また、未確認の前記担当追加情報が斜体文字で表示されることも考えられる。さらに、未確認の前記担当追加情報の文字色又は背景色などが赤色などで表示され、一方、確認済の前記担当追加情報については、文字色が黒色又は青色で表示されること、又は背景色が白色又は青色で表示されることが考えられる。なお、前記担当追加情報に限らず、前記非担当追加情報についても同様に確認済の場合と未確認の場合とで出力態様が異なることも考えられる。
【００８８】
＜ステップＳ１６１＞
なお、ステップＳ１６１において、前記制御部１１は、前記追加情報の選択とは異なるその他の操作が行われたと判断すると（Ｓ１６１：Ｙｅｓ側）、処理をステップＳ１６２に移行させ、前記その他の操作が行われていない場合（Ｓ１６１：Ｎｏ側）、処理を前記ステップＳ１６に戻す。
【００８９】
＜ステップＳ１６２＞
ステップＳ１６２において、前記制御部１１は、前記ステップＳ１６１で受け付けた前記その他の操作に応じて、予め設定された処理を実行する。例えば、前記制御部１１は、前記初期表示画面Ｄ１を閉じる操作を受け付けた場合は、ユーザーのログアウト処理を実行すると共に、前記初期表示画面Ｄ１を閉じる。また、前記制御部１１は、前記薬品検索タブＴ１２の操作のような前記初期表示画面Ｄ１における表示タブを切り替えるための操作が行われた場合には、その操作に応じた表示タブを表示させる。
【００９０】
例えば、前記薬品情報提供システム１０では、前記制御部１１が、前記初期表示画面Ｄ１の前記薬品検索タブＴ１２のユーザー操作に応じて、前記薬品検索タブＴ１２に対応する薬品検索画面Ｄ３を表示させる。ここに、図８は、前記薬品検索画面Ｄ３の一例を示す図である。図８に示されている前記薬品検索画面Ｄ３では、各種の検索条件を設定することにより薬品情報を検索することが可能である。前記薬品情報提供システム１０の従来システムでは、前記薬品検索画面Ｄ３で薬品情報の検索結果として前記追加情報が表示され、又は、前記初期表示画面Ｄ１（図６参照）の追加情報領域Ｄ１１に全ての薬品の追加情報が一覧表示される。そのため、ユーザーが自分にとって重要な薬品の追加情報を探す手間が煩雑であった。これに対し、前記薬品情報提供システム１０では、前記初期表示画面Ｄ１に、ユーザーの担当患者が服用している薬品のように、ユーザー自分が確認する必要性の高い薬品の追加情報が優先して表示される。従って、ユーザーは、自分にとって重要な薬品の追加情報を容易に把握することが可能である。なお、前記検索結果画面Ｄ３に前記追加情報領域Ｄ１１が表示されることも他の実施形態として考えられる。
【００９１】
［薬品情報提供処理の実行結果の一例］
続いて、図９及び図１０を参照しつつ、前記薬品情報提供処理の実行結果の一例として、前記ステップＳ１１で特定された前記ログインユーザーが医師Ａ及び薬剤師Ｂである場合についてそれぞれ例を挙げて説明する。
【００９２】
ここでは、図９に示すように、前記利用者マスターにおいて、前記医師Ａの利用者情報Ｕ１として、氏名、職種、担当部署、担当病棟、及び担当診療科に、「医師Ａ」、「医師」、「Ａ部署」、「東Ａ病棟」、及び「内科」が登録されているものとする。また、図１０に示すように、前記利用者マスターでは、前記薬剤師Ｂの利用者情報Ｕ２として、氏名、職種、担当部署、担当病棟、及び担当診療科に、「薬剤師Ｂ」、「薬剤師」、「Ｂ部署」、「西Ｂ病棟」、及び「外科」が登録されているものとする。
【００９３】
さらに、図９及び図１０に示すように、前記処方データ領域１２４に記憶されている前記処方歴情報には、患者Ｃ１に対応する処方歴情報Ｒ１、及び患者Ｃ２に対応する処方歴情報Ｒ２が含まれるものとする。そして、前記処方歴情報Ｒ１では、患者名、処方番号、病棟、部署、病室、及び担当医師の情報として、「患者Ｃ１」、「９９８」、「東Ａ病棟」、「Ａ部署」、「５０５病室」、及び「医師Ａ」が登録されている。また、前記処方歴情報Ｒ１では、前記患者Ｃ１の処方薬品として「薬品ａａａ」、「薬品ｂｂｂ」、「薬品ｃｃｃ」、「薬品ｄｄｄ」、及び「薬品ｅｅｅ」が登録されている。一方、前記処方歴情報Ｒ２では、患者名、処方番号、病棟、部署、病室、及び担当医師の情報として、「患者Ｃ２」、「９９９」、「西Ｂ病棟」、「Ｂ部署」、「４０５病室」、及び「医師Ａ」が登録されている。また、前記処方歴情報Ｒ２では、前記患者Ｃ２の処方薬品として「薬品ｅｅｅ」が登録されている。
【００９４】
また、前記データベース領域１２３に記憶されている前記追加情報には、「薬品ＡＡＡ」、「薬品ＢＢＢ」、「薬品ＣＣＣ」、「薬品ｃｃｃ」、及び「薬品ｅｅｅ」に対応する追加情報が含まれているものとする。なお、前記追加情報の登録順は、図９のテーブル情報Ｔ１及び図１０のテーブル情報Ｔ３に示すように、新しい順が「１」の「薬品ＡＡＡ」に対応する追加情報が最後に登録された最も新しい情報であり、新しい順が「５」の「薬品ｅｅｅ」に対応する追加情報が最初に登録された最も古い情報であるとする。
【００９５】
まず、図９に示すように、前記ログインユーザーが前記医師Ａである場合、前記制御部１１は、前記医師Ａに対応する前記利用者情報Ｕ１を抽出し（Ｓ１２）、前記利用者情報Ｕ１に基づいて前記医師Ａの職種が医師であると判断する（Ｓ１３：Ｙｅｓ側）。そして、前記制御部１１は、前記データベース領域１２３に記憶されている前記追加情報のうち、前記医師Ａの担当患者の処方薬品に対応する追加情報を前記担当追加情報として抽出する（Ｓ１４）。ここでは、前記患者Ｃ１、Ｃ２の両方について、前記処方歴情報Ｒ１、Ｒ２の担当医師が前記医師Ａである。そのため、前記追加情報のうち、前記医師Ａの担当患者である前記患者Ｃ１、Ｃ２の処方薬品である「薬品ｃｃｃ」、「薬品ｅｅｅ」に対応する追加情報が前記担当追加情報として抽出される。
【００９６】
また、前記制御部１１は、前記担当追加情報各々について前記優先度を特定する（Ｓ１４）。ここでは、図９のテーブル情報Ｔ２に示すように、前記担当追加情報に対応する薬品が、前記ログインユーザーである前記医師Ａの担当患者の処方薬品として採用されている件数が２件である「薬品ｅｅｅ」の優先度が「１」、前記件数が１件である「薬品ｃｃｃ」の優先度が「２」であると特定される。即ち、登録日時が古い「薬品ｅｅｅ」の優先度が、登録日時が新しい「薬品ｃｃｃ」の優先度よりも高いと判断される。なお、このとき、前記制御部１１は、前記非担当追加情報については、登録日時が新しいものから順に優先度を特定する。即ち、「薬品ＡＡＡ」の優先度が「３」、「薬品ＢＢＢ」の優先度が「４」、「薬品ＣＣＣ」の優先度が「５」であると判断される。即ち、前記担当追加情報各々の前記優先度は、前記非担当追加情報の前記優先度よりも高い。
【００９７】
これにより、前記初期表示画面Ｄ１の前記詳細表示領域Ｄ２１では、前記担当追加情報が前記非担当追加情報よりも上位に表示されると共に、前記担当追加情報各々については、前記優先度が「１」である「薬品ｅｅｅ」に対応する前記担当追加情報が最上位に表示され、次に優先度が「２」である「薬品ｃｃｃ」に対応する前記担当追加情報が並べて表示される。そして、前記詳細表示領域Ｄ２１では、前記担当追加情報の下位に、「薬品ＡＡＡ」、「薬品ＢＢＢ」、及び「薬品ＣＣＣ」が前記優先度に従って上位から並べて表示される。従って、前記医師Ａは、前記初期表示画面Ｄ１の前記詳細表示領域Ｄ２１を参照することにより、自分にとって重要である「薬品ｅｅｅ」及び「薬品ｃｃｃ」を容易に確認することが可能である。
【００９８】
一方、図１０に示すように、前記ログインユーザーが前記薬剤師Ｂである場合、前記制御部１１は、前記薬剤師Ｂに対応する前記利用者情報Ｕ２を抽出し（Ｓ１２）、前記利用者情報Ｕ２に基づいて前記薬剤師Ｂの職種が薬剤師であって医師ではないと判断する（Ｓ１３：Ｎｏ側）。そして、前記制御部１１は、前記データベース領域１２３に記憶されている前記追加情報のうち、前記薬剤師Ｂの担当病棟、担当部署、担当病室、又は担当診療科などに属する前記薬剤師Ｂの担当患者の処方薬品に対応する追加情報を前記担当追加情報として抽出する（Ｓ１３１）。ここでは、前記患者Ｃ１については、前記処方歴情報Ｒ１の病棟及び部署が前記薬剤師Ｂの担当部署及び担当病棟が異なり、前記患者Ｃ２については、前記処方歴情報Ｒ２の病棟及び部署が前記薬剤師Ｂの担当部署及び担当病棟が一致する。そのため、前記追加情報のうち、前記薬剤師Ｂの担当患者である前記患者Ｃ２の処方薬品である「薬品ｅｅｅ」に対応する追加情報が前記担当追加情報として抽出される。
【００９９】
また、前記制御部１１は、前記担当追加情報各々について前記優先度を特定する（Ｓ１３１）。ここでは、図１０のテーブル情報Ｔ３に示すように、前記担当追加情報に対応する薬品が、前記ログインユーザーである前記薬剤師Ｂの担当患者の処方薬品として採用されている件数が１件である「薬品ｅｅｅ」の優先度が「１」であると特定される。なお、このとき、前記制御部１１は、前記非担当追加情報については、登録日時が新しいものから順に、「薬品ＡＡＡ」の優先度が「２」、「薬品ＢＢＢ」の優先度が「３」、「薬品ＣＣＣ」の優先度が「４」、「薬品ｃｃｃ」の優先度が「５」であると特定する。即ち、前記担当追加情報各々の前記優先度は、前記非担当追加情報の前記優先度よりも高い。
【０１００】
これにより、前記初期表示画面Ｄ１の前記詳細表示領域Ｄ２１では、優先度が「１」である「薬品ｅｅｅ」に対応する前記担当追加情報が最上位に表示される。そして、前記詳細表示領域Ｄ２１では、前記担当追加情報の下位に、「薬品ＡＡＡ」、「薬品ＢＢＢ」、「薬品ＣＣＣ」、及び「薬品ｃｃｃ」が前記優先度に従って上位から並べて表示される。従って、前記薬剤師Ｂは、前記初期表示画面Ｄ１の前記詳細表示領域Ｄ２１を参照することにより、自分にとって重要である「薬品ｅｅｅ」を容易に確認することが可能である。
【０１０１】
［他の実施形態］
以下、前記薬品情報提供システム１０の他の実施形態について説明する。なお、以下の各実施形態において、前記第１実施形態で説明した前記薬品情報提供システム１０と同様の構成要素及び処理手順については同じ符号を用いて説明する。
【０１０２】
［第２実施形態］
まず、他の実施形態として、前記制御部１１が、前記ステップＳ１４又は前記ステップＳ１３１において、前記追加情報のうち、過去の予め設定された所定期間（数ヶ月又は数年など）に登録された追加情報から前記担当追加情報を抽出することも考えられる。例えば、前記制御部１１は、前記追加情報のうち、前記サーバー１のシステムクロックが示す現在日時から起算して過去の前記所定期間の間に前記登録日時が含まれる前記追加情報を抽出し、前記抽出された前記追加情報から前記担当追加情報を抽出する。なお、前記制御部１１は、前記追加情報から前記担当追加情報を抽出した後、前記担当追加情報のうち、前記サーバー１のシステムクロックの現在日時から起算して過去の前記所定期間の間に前記登録日時が含まれる前記担当追加情報を抽出してもよい。これにより、前記担当追加情報であっても前記所定期間以前に登録された古い情報は抽出されない。そのため、前記ログインユーザーは、前記追加情報の確認作業を効率的に行うことが可能である。
【０１０３】
［第３実施形態］
また、他の実施形態として、前記制御部１１が、前記ステップＳ１４又は前記ステップＳ１３１において、前記追加情報のうち、前記追加情報に対応する薬品の処方歴情報における服用開始日時又は服用終了日時が、過去及び未来の予め設定された所定期間（数ヶ月又は数年など）の間に含まれる追加情報から前記担当追加情報を抽出することも考えられる。例えば、前記制御部１１は、前記追加情報のうち、前記服用開始日時又は前記服用終了日時が、前記サーバー１のシステムクロックが示す現在日時から起算して過去及び未来に亘る前記所定期間の間に含まれる前記追加情報を抽出し、前記抽出された前記追加情報から前記担当追加情報を抽出する。なお、前記制御部１１は、前記追加情報から前記担当追加情報を抽出した後、前記担当追加情報のうち、前記サーバー１のシステムクロックの現在日時から起算して過去及び未来に亘る前記所定期間の間に前記服用開始日時又は前記服用終了日時が含まれる前記担当追加情報を抽出してもよい。これにより、前記担当追加情報であっても現時点で確認する必要性の低い情報が抽出されない。そのため、前記ログインユーザーは、前記追加情報の確認作業を効率的に行うことが可能である。
【０１０４】
［第４実施形態］
また、他の実施形態として、前記制御部１１が、前記ステップＳ１４又は前記ステップＳ１３１において、前記追加情報のうち、前記追加情報に対応する薬品が患者によって現在服用されている追加情報から前記担当追加情報のみを抽出することも考えられる。例えば、前記薬品情報提供システム１０が、患者各々の服薬状況及び入院状況などを管理する服薬指導端末を備える構成も考えられる。前記服薬指導端末では、患者各々の服薬状況及び入院状況に変化が生じた場合に、ユーザー操作などに応じて、患者各々の服薬状況及び入院状況などの登録情報が変更される。また、前記サーバー１が前記服薬指導端末の機能を兼ねることも考えられる。この場合、前記制御部１１は、前記服薬指導端末から患者各々の服薬状況及び入院状況などの情報を取得することが可能である。
【０１０５】
そのため、前記制御部１１は、前記追加情報のうち、患者によって現在服用されている薬品に対応する追加情報のみを前記担当追加情報として抽出することが可能である。さらに、前記制御部１１は、前記追加情報に対応する薬品を服用している全ての前記担当患者が退院した場合又はその薬品の服薬を中止した場合などには、その薬品に対応する前記追加情報を前記担当追加情報から除外することが考えられる。これにより、後述の初期表示画面Ｄ１（図６参照）において、前記ログインユーザーは、自分の担当患者が現在服用している処方薬品に関する前記担当追加情報を容易に把握することが可能である。
【０１０６】
さらに、前記制御部１１は、前記服薬指導端末から取得される情報に基づいて、前記担当追加情報の前記優先度を判断することも考えられる。例えば、前記制御部１１は、前記処方歴情報の明細情報（図４参照）に含まれる服用開始日時及び服用終了日時に基づいて現在の服用状況が前記薬品の服用期間中、服用開始前、及び服用期間後のいずれであるかを決定することが可能である。そして、前記制御部１１は、前記薬品の服用期間中、服用開始前、及び服用期間後などに応じた重み付けを行い、前記担当追加情報の優先度に反映させることが考えられる。具体的に、前記制御部１１は、前記薬品の服用期間中である場合に前記優先度の値を定める指標となる指標値に「３」を加算し、前記薬品の服用期間前である場合には前記指標値の値に「２」を加算し、前記薬品の服用期間後である場合に前記指標値の値に「１」を加算することが考えられる。そして、前記制御部１１は、例えば前記指標値の値が大きいほど前記優先度が高いと判断する。これにより、前記ログインユーザーの担当患者の処方薬品の現在の服用状況に応じて、前記ログインユーザーにとって重要な前記担当追加情報を優先して表示させることが可能である。
【０１０７】
［第５実施形態］
また、前記第１実施形態では、前記制御部１１が、前記処方歴情報を参照して前記追加情報各々について前記ログインユーザーに対応する前記担当追加情報であるか否かを判断する場合について説明した。一方、前記制御部１１が、前記処方歴情報とは別に、自分の担当患者、担当病棟、担当部署、担当病室、又は担当診療科などに関する薬品の重要度をユーザーごとに管理するための重要度情報を前記データ領域１２４に記録することが考えられる。例えば、前記制御部１１は、前記処方データが受信されたときに、前記処方データに含まれる担当医師、病棟、部署、病室、及び診療科などの情報に基づいて、前記処方データに対応するユーザーを特定する。そして、前記制御部１１は、前記重要度情報において、前記特定されたユーザーに対応する重要度情報の値を加算することが考えられる。これにより、前記制御部１１は、前記重要度情報の値を参照することにより、ユーザーごとに、自分の担当患者に処方された薬品の重要度を把握することができ、その重要度に応じて前記担当追加情報各々の前記優先度を特定することが可能である。
【０１０８】
［第６実施形態］
また、前記第１実施形態では、前記ステップＳ１３において、ユーザーの職種が医師であるか否かを判断する場合を例に挙げて説明したがこれに限らない。例えば、前記処方データに、担当薬剤師の情報が含まれることが考えられる。この場合には、前記ステップＳ１３において、ユーザーの職種が、医師である場合に加えて、薬剤師である場合にも、処理が前記ステップＳ１４に移行し、前記薬剤師の担当患者の処方薬品に対応する前記担当追加情報が抽出される。なお、前記処方データに担当看護師の情報が含まれる場合も同様である。
【０１０９】
さらに、他の実施形態として、前記ステップＳ１３及び前記ステップＳ１３１の処理を省略し、続く前記ステップＳ１４において、前記制御部１１が、前記ユーザーに対応付けられている担当患者、担当部署、担当病棟、及び担当病室に基づいて前記ユーザーに対応する担当患者を特定することも考えられる。例えば、前記制御部１１は、前記ユーザーに対応付けられている担当患者、前記ユーザーに対応付けられている担当部署に属する患者、前記ユーザーに対応付けられている担当病棟に属する患者、及び前記ユーザーに対応付けられている担当病室に属する患者の少なくとも１つに該当する患者を前記ユーザーに対応付けられている担当患者として特定することが考えられる。
【０１１０】
［第７実施形態］
また、他の実施形態として、前記制御部１１は、前記初期表示画面Ｄ１又は前記薬品検索画面Ｄ２等において、ユーザー操作により薬品が選択された場合に、前記ログインユーザーの担当患者のうち前記選択された薬品が処方薬品として含まれる担当患者を特定し、その担当患者の患者名及び患者ＩＤなどの情報を一覧表示することが可能であってもよい。これにより、ユーザーは、前記追加情報に対応する薬品が処方されている担当患者を容易に把握することができる。
【符号の説明】
【０１１１】
１    ：サーバー
２    ：クライアント端末
３    ：調剤装置
４    ：上位システム
１０  ：薬品情報提供システム
１１  ：制御部
１１１：特定処理部
１１２：出力処理部
１１３：登録処理部
１１４：通知処理部
１２  ：記憶部
１２１：プログラム領域
１２２：マスター領域
１２３：データベース領域
１２４：処方データ領域
１３  ：通信Ｉ／Ｆ
１４  ：操作部
１５  ：表示部
１６  ：ドライブ装置
２１  ：制御部
２２  ：記憶部
２３  ：通信Ｉ／Ｆ
２４  ：操作部
２５  ：表示部
２６  ：ドライブ装置
【図１】
0006492590.tif 000002
【図２】
0006492590.tif 000003
【図３】
0006492590.tif 000004
【図４】
0006492590.tif 000005
【図５】
0006492590.tif 000006
【図６】
0006492590.tif 000007
【図７】
0006492590.tif 000008
【図８】
0006492590.tif 000009
【図９】
0006492590.tif 000010
【図１０】
0006492590.tif 000011